(57)【要約】【課題】吸引口が塞がれても密閉状態とならない電気掃除機用吸込み具および電気掃除機を提供する。【解決手段】一端に接続口７、他端側に吸引口３を有する吸込み具本体２と、前記吸引口３近傍に配設された、または、配設可能なブラシ６を有するブラシ体５とを備え、前記吸引口３と前記接続口７との間に補助吸引口８を設けたもので、吸引口３が被掃除面や塵埃などでふさがれてしまった場合にも、補助吸引口８から空気が取り入れられ、密閉状態が回避され、電動送風機への負荷を低減することができるとともに、被掃除面に吸い付くことも防ぐこともできる。【選択図】図１
2005110908.tif 000002
【特許請求の範囲】
【請求項１】
一端に接続口、他端側に吸引口を有する吸込み具本体と、前記吸引口近傍に配設された、または、配設可能なブラシを有するブラシ体とを備え、前記吸引口と前記接続口との間に補助吸引口を設けた電気掃除機用吸込み具。
【請求項２】
ブラシ体は、ブラシと前記ブラシを植設したブラシ枠とから構成され、前記ブラシ体は吸込み具本体に対して回動自在に設けた請求項１記載の電気掃除機用吸込み具。
【請求項３】
非回動時のブラシ体におけるブラシの先端と接続口との間に、補助吸引口を位置させた請求項１または２記載の電気掃除機用吸込み具。
【請求項４】
吸込み具本体の底面の一部に傾斜を設けた請求項１〜３のいずれか１項に記載の電気掃除機用吸込み具。
【請求項５】
ブラシが有するブラシ毛を、ブラシ枠のブラシ植設面に対してそれぞれ略同一角度で傾斜させて植設した請求項２〜４のいずれか１項に記載の電気掃除機用吸込み具。
【請求項６】
ブラシを複数有し、前記複数のブラシをブラシ枠のブラシ植設面に対して、傾斜させて植設するとともに、ブラシの植設位置によって、傾斜角度を異ならせる請求項２〜５のいずれか１項に記載の掃除機用吸込み具。
【請求項７】
吸込み具本体の両側面とブラシ体の内壁のいずれか一方に回動軸穴を設け、他方に前記回動軸穴に嵌合する回動軸を設けて、前記吸込み具本体と前記ブラシ体を回動自在とし、前記吸込み具本体の両側面に前記回動軸穴を中心とした円弧状のリブを設けた請求項１〜６のいずれか１項に記載の電気掃除機用吸込み具。
【請求項８】
吸込み具本体の吸引口付近の底面の一部を残して切欠いた請求項１〜７のいずれか１項記載の電気掃除機用吸込み具。
【請求項９】
吸込み具本体の吸引口付近の底面の両端部を残して切欠いた請求項１〜８のいずれか１項記載の電気掃除機用吸込み具。
【請求項１０】
掃除機本体と、塵埃を吸引する主吸込み具と、一端が前記掃除機本体に設けた接続口と接続され他端に手元ハンドルを有するホースと、一端が前記手元ハンドルに接続され、他端が前記主吸込み具に接続される延長管とを備え、上記請求項１〜９のいずれか１項に記載の電気掃除機用吸込み具を収納する収納部を前記掃除機本体及び前記手元ハンドルに設けた電気掃除機。
【請求項１１】
ブラシ体に係止部を設け、手元ハンドルの一部に前記係止部が係止される被係止部と吸込み具本体の接続口を係止する引掛部を設けた請求項１０記載の電気掃除機。
【請求項１２】
吸込み具本体に係止部を設け、手元ハンドルの一部に前記係止部が係止される被係止部と前記吸込み具本体の接続口を係止する引掛部を設けた請求項１０記載の電気掃除機。
【請求項１３】
係止部及び被係止部を断面略Ｔ字形に形成し、引掛部の断面を略Ｌ字形とし、前記引掛部と前記被係止部との距離を、吸込み具本体の接続口から前記係止部までの距離とほぼ同一になるようにした請求項１１または１２記載の電気掃除機。
【発明の詳細な説明】
【技術分野】
【０００１】
本発明は、電気掃除機用吸込み具並びにそれを用いた電気掃除機に関するものである。
【背景技術】
【０００２】
従来の電気掃除機用吸込み具で、特に隙間や棚の上など掃除できるブラシ付きの吸込み具としては、吸込み具先端に回動自在に覆着されたブラシ体を持つものがある（例えば、特許文献１参照）。また、吸込み具自身にブラシを植設したものも多種ある（例えば、特許文献２参照）。
【０００３】
図１７は、特許文献１に開示された電気掃除機用吸込み具で、図に示すように電気掃除機用吸込み具３１は、吸込み具本体３２と、複数のブラシ３４を持つとともに吸込み具本体３２に可動自在に設けられたブラシ体３３よりなり、吸込み具本体３２の一端は電気掃除機（図示せず）の接続口（図示せず）に接続するために略円筒状になっており、他端には吸引口３５を有している。
【０００４】
また、図１８は特許文献２に開示された従来の他の電気掃除機用吸込み具を示すもので、掃除機用吸込み具３６は所定の見開き角度を有した吸引口３７の端面に複数のブラシ３８が植設されていた。
【特許文献１】特開２０００−２７９３５２号公報
【特許文献２】特開２００１−２２４５３６号公報
【発明の開示】
【発明が解決しようとする課題】
【０００５】
しかしながら、上記従来の構成では、いずれも吸引口が先端にのみもうけられており、掃除の際、吸引口が被掃除面に押し付けられた場合や塵埃が吸込み具に詰まった場合、電気掃除機は密閉状態となり、電気掃除機に内蔵された電動送風機に過大な負荷がかかり故障するという課題を有していた。また密閉状態になることで、被掃除面に吸引口が吸い付いてしまい、電気掃除機用吸込み具を動かすことが非常に困難になるという課題を有していた。
【０００６】
本発明は、前記従来の課題を解決するもので、電気掃除機用吸込み具の吸引口がなんらかの要因でふさがれてしまった場合でも、吸引風を発する電動送風機にかかる負荷を低減し、また被掃除面に吸い付くことが無くかつ隙間や棚の上などを幅広く掃除できる電気掃除機用吸込み具及びそれを用いた電気掃除機を提供することを目的とする。
【課題を解決するための手段】
【０００７】
前記従来の課題を解決するために本発明は、一端に接続口、他端側に吸引口を有する吸込み具本体と、前記吸引口近傍に配設された、または、配設可能なブラシを有するブラシ体とを備え、前記吸引口と前記接続口との間に補助吸引口を設けたもので、吸引口が被掃除面や塵埃などでふさがれてしまった場合にも、補助吸引口から空気が取り入れられることによって、掃除機本体が密閉状態になるのを防ぎ、電動送風機に加わるの負荷を低減することができ、また被掃除面に吸い付くことを防ぐこともできる。
【０００８】
また、本発明の電気掃除機は、掃除機本体と、塵埃を吸引する主吸込み具と、一端が前記掃除機本体に設けた接続口と接続され他端に手元ハンドルを有するホースと、一端が前記手元ハンドルに接続され、他端が前記主吸込み具に接続される延長管とを備え、上記請求項１〜９のいずれか１項に記載の電気掃除機用吸込み具を収納する収納部を前記掃除機本体及び前記手元ハンドルに設けたもので、使用者は、電気掃除機の使用形態並びに狭い場所の掃除頻度に応じて、電気掃除機用吸込み具を掃除機本体に収納したりあるいは、手元ハンドルに一時的に収納する事ができ、非常に使い勝手が良いものである。
【発明の効果】
【０００９】
本発明の電気掃除機用吸込み具は、その先端の吸引口が被掃除面や塵埃などでふさがれてしまっても、補助吸引口から空気が取り入れられることによって、掃除機本体が密閉状態になるのを防いで電動送風機への負荷を低減することができるとともに、被掃除面に吸い付くことを防ぐこともできる。
【発明を実施するための最良の形態】
【００１０】
第１の発明は、一端に接続口、他端側に吸引口を有する吸込み具本体と、前記吸引口近傍に配設された、または、配設可能なブラシを有するブラシ体とを備え、前記吸引口と前記接続口との間に補助吸引口を設けたもので、吸引口が被掃除面や塵埃などでふさがれてしまった場合にも補助吸引口から空気が取り入れられることによって、掃除機本体が密閉状態になるのを防ぎ、電動送風機に加わるの負荷を低減することができ、また被掃除面に吸い付くことを防ぐこともできる。
【００１１】
第２の発明は、ブラシ体は、ブラシと前記ブラシを植設したブラシ枠とから構成され、前記ブラシ体は吸込み具本体に対して回動自在に設けたもので、電気掃除機用吸込み具をコンパクトにすることができる。
【００１２】
第３の発明は、非回動時のブラシ体におけるブラシの先端と接続口との間に、補助吸引口を位置させたもので、ブラシ体を回動していない状態、すなわちブラシ体を吸込み具本体に収納した状態で使用されても、ブラシ体に植設したブラシによって補助吸引口が塞がれる事がないので、補助吸引口の機能を損なう事がない。
【００１３】
第４の発明は、吸込み具本体の底面の一部に傾斜を設けたもので、ブラシ体を吸込み具本体から必要以上に突出させることなく覆着することができるため、電気掃除機用吸込み具をコンパクトにすることができ、さらに先端部の風速を上げ、ブラシ回動状態で吸引面積が大きくなった場合にも集塵力を確保することができる。
【００１４】
第５の発明は、ブラシが有するブラシ毛を、ブラシ枠のブラシ植設面に対してそれぞれ略同一角度で傾斜させて植設したもので、掃除をしているブラシの先端部分が目視でき、塵埃の取れ具合が分かるとともに、ブラシの方向が揃っていてブラシ間の密閉度が上がり、集塵力を確保することができる。
【００１５】
第６の発明は、ブラシを複数有し、前記複数のブラシをブラシ枠のブラシ植設面に対して、傾斜させて植設するとともに、ブラシの植設位置によって、傾斜角度を異ならせるもので、ブラシが接触する被掃除面が広くなり、広範囲にわたって効率よく集塵することができる。
【００１６】
第７の発明は、吸込み具本体の両側面とブラシ体の内壁のいずれか一方に回動軸穴を設け、他方に前記回動軸穴に嵌合する回動軸を設けて、前記吸込み具本体と前記ブラシ体を回動自在とし、前記吸込み具本体の両側面に前記回動軸穴を中心とした円弧状のリブを設けたもので、このリブによりブラシ体と吸込み具本体の間の隙間を無くし、回動時に回動軸穴に砂をかみ込んで回動が阻害されるのを防止することができる。
【００１７】
第８の発明は、吸込み具本体の吸引口付近の底面の一部を残して切欠いたもので、ブラシ体を非回動状態で使う際に、底面の一部がじゅうたん等に絡まった塵埃を掻き出す事ができ、効率よく集塵できる。
【００１８】
第９の発明は、吸込み具本体の吸引口付近の底面の両端部を残して切欠いたもので、吸込み具本体の先端部の剛性を維持することができるとともに、騒音を低減することができる。
【００１９】
第１０の発明は、掃除機本体と、塵埃を吸引する主吸込み具と、一端が前記掃除機本体に設けた接続口と接続され他端に手元ハンドルを有するホースと、一端が前記手元ハンドルに接続され、他端が前記主吸込み具に接続される延長管とを備え、上記請求項１〜９のいずれか１項に記載の電気掃除機用吸込み具を収納する収納部を前記掃除機本体及び前記手元ハンドルに設けたもので、使用者は、電気掃除機の使用形態並びに狭い場所の掃除頻度に応じて、電気掃除機用吸込み具を掃除機本体に収納したりあるいは、手元ハンドルに一時的に収納する事ができ、非常に使い勝手が良いものである。
【００２０】
第１１の発明は、ブラシ体に係止部を設け、手元ハンドルの一部に前記係止部が係止される被係止部と吸込み具本体の接続口を係止する引掛部を設けたもので、電気掃除機用吸込み具を手元ハンドルの被係止部と引掛部に係止するだけで簡単に収納することができる。
【００２１】
第１２の発明は、吸込み具本体に係止部を設け、手元ハンドルの一部に前記係止部が係止される被係止部と前記吸込み具本体の接続口を係止する引掛部を設けたもので、電気掃除機用吸込み具を、ブラシ体を回動した状態で手元ハンドルに収納することができる。
【００２２】
第１３の発明は、係止部及び被係止部を断面略Ｔ字形に形成し、引掛部の断面を略Ｌ字形とし、前記引掛部と前記被係止部との距離を、吸込み具本体の接続口から前記係止部までの距離とほぼ同一になるようにしたもので、電気掃除機用吸込み具を確実に手元ハンドルに収納することができる。
【００２３】
特に、引掛部と前記被係止部との距離を、吸込み具本体の接続口から吸込み具本体に設けた係止部までの距離とほぼ同一になるようにすることで、ブラシ体を回動させた状態の電気掃除機用吸込み具を手元ハンドルに収納できる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における電気掃除機用吸込み具の斜視図、図２は電気掃除機の斜視図である。
【００２６】
図１に示されるように、電気掃除機用吸込み具１（以下吸込み具１という）は、その一端に略円筒形で電気掃除機に連通する接続口７を有し、他端側が偏平形状で、その先端に吸引口３を有する吸込み具本体２と、この吸引口３近傍の両側面に設けられた回動軸穴２５と、この回動軸穴２５に嵌合する回動軸２６を内壁に有し、この回動軸２６を支点に回動自在に覆着されたブラシ体５を備えている。
【００２７】
このブラシ体５は吸込み具本体２の吸引口３に対応する前方、上方、後方に前方開口部５ａ、上方開口部５ｂ、後方開口部５ｃをそれぞれ有するブラシ枠４と、ブラシ枠４の後方となる部分に植設されたブラシ６とから構成されている。吸込み具本体２の前記吸引口３と前記接続口７の間には、前記吸引口３とは独立して形成された補助吸引口８を有している。
【００２８】
図２は、本発明の電気掃除機用吸込み具を接続する電気掃除機の全体を示すもので、掃除機本体９は、内部に吸引した塵埃を集塵する集塵室１０と、吸引風を発する電動送風機１１を備えており、この掃除機本体９に設けた接続口１２に、延長管１３を接続した手元ハンドル１４を有するホース１５を接続し、主吸込み具１６の接続口１７を延長管１３と接続することにより、掃除機本体９の接続口１２まで連通するように構成されている。
【００２９】
以上のように構成された電気掃除機用吸込み具１について、以下、その動作、作用を説明する。
【００３０】
家具と家具の隙間などを清掃する場合には、吸込み具１の接続口７を掃除機本体９に接続されたホース１５の手元ハンドル１４あるいは延長管１３の先端に接続し、吸込み具１のブラシ体５を非回動状態、すなわち図１に示すような形で被掃除面で使用する。
【００３１】
そして傷つけたくない棚の上や砂などが詰まった隙間を掃除する場合にはブラシ体５を回動軸２６を支点に回動方向に回転し、ブラシ枠４に設けたブラシ体５を使用する。このとき、塵埃はブラシ６で掻き出され、吸引口３から吸引される。これらの場合において、万が一吸込み具１に塵埃などが詰まり吸引口３から掃除機本体９への吸気が阻害されても、補助吸引口７が開口しているので、その部分からの吸気は確保されたままである。
【００３２】
なお、本実施の形態においては、ブラシ体５を回動させることで、ブラシ６を吸引口３近傍に配設するように構成しているが、吸引口３近傍に予めブラシ６が植設されている構成であっても、上記と同様の効果を有することはいうまでもない。
【００３３】
以上のように、本実施の形態において、吸込み具本体１先端部分の吸引口３と接続口７の間に補助吸引口８が配されていることにより、吸込み具１の先端の吸引口３が被掃除面や塵埃などでふさがれてしまった場合にも補助吸引口８から空気が吸引されるので、掃除機本体が密閉状態になるのを防ぎ、掃除機の電動送風機１１への負荷を低減することができる。
【００３４】
また、図１に示されるように、非回動時のブラシ体５のブラシ６の先端と接続口７との間に、補助吸引口８を位置させるようにすれば、ブラシ体５を回動していない状態、すなわちブラシ体５を吸込み具本体２に収納した状態で使用されても、ブラシ体５に植設したブラシ６によって補助吸引口８が塞がれる事がないので、補助吸引口８としての機能を損なう事がない。
【００３５】
（実施の形態２）
図３は本発明の第２の実施の形態における電気掃除機の掃除機本体９の斜視図、図４はブラシ体の斜視図、図５は手元ハンドルの側面図を示すものであり、図６は手元ハンドルの被係止部とブラシ体の係止部の断面図である。
【００３６】
図３において、掃除機本体９の上部に吸込み具１を収納する収納部となる凹部１８を設ける。さらに、図４及び図６に示されるように、ブラシ体５の一部に１対の断面略Ｔ字形の係止部１９を一定距離をおいて相対して設けている。
【００３７】
また、図５に示すように、吸込み具１をその先端に接続して操作する手元ハンドル１４の一部に、断面略Ｌ字形の引掛部２０と、断面略Ｔ字形の被係止部２１が設けられ、引掛部２０と被係止部２１の距離は、吸込み具１の接続口７の端部からブラシ体５に設けた係止部１９までの距離とほぼ同等になるように設定され、被係止部２１の先端の幅は前記係止部１９同士の対面距離よりやや大きく、根元の幅はそれより小さく設定されている。
【００３８】
以上のように構成された吸込み具１を備えた電気掃除機３０について、以下、その動作、作用を説明する。
【００３９】
電気掃除機３０に備え付けられた吸込み具１は手元ハンドル１４あるいは延長管１３の先端に接続することにより、掃除機本体９の接続口１２まで連通される。吸込み具１を使用しない場合には、掃除機本体９の凹部１８に吸込み具１を嵌着するかあるいは、手元ハンドル１４に備えられた略Ｌ字形引掛部２０へ吸込み具本体２の接続口３の端部を差込み、次に吸込み具１のブラシ体５の係止部１９を手元ハンドル１４に設けた被係止部２１に押しつけることにより被係止部２１のＴ字状リブを乗り越えて係止し、吸込み具１が嵌着され、吸込み具１を手元ハンドル１４に収納する事ができる。
【００４０】
以上のように本実施の形態によれば、吸込み具１を、掃除機本体９に設けた凹部１８に収納することができるとともに、手元に近い手元ハンドル１４に設けた引掛部２０と被係止部２１に、ブラシ体５の接続口３の端部と係止部１９をそれぞれ引っ掛けて収納する事もできるので、 掃除中に頻繁に吸込み具１を使用するときは非常に便利である。
【００４１】
（実施の形態３）
図７は本発明の第３の実施の形態における吸込み具１の吸込み具本体２の斜視図で、図８は手元ハンドル１４の側面図、図９は手元ハンドル１４に設けた被係止部とブラシ体５の係止部の断面図である。
【００４２】
図７、図９に示されるように、吸込み具本体２には、断面略Ｔ型の係止部２２を一定距離を持って相対して設ける。そして図８に示すように、手元ハンドル１４の一部に、断面略Ｌ字形の引掛部２０と断面略Ｔ字形の被係止部２１が設けられ、その引掛部２０と被係止部２１間の距離を、吸込み具本体２の接続口７から係止部１９までの距離とほぼ同等になるように設定している。
【００４３】
以上のように構成された吸込み具１を備えた電気掃除機３０について、以下、その動作、作用を説明する。
【００４４】
吸込み具１を手元ハンドル１４あるいは延長管１３に接続することにより、掃除機本体９の接続口１２まで連通される。吸込み具１を使用しない場合には、手元ハンドル１４に備えられた略Ｌ字形の引掛部２０へ吸込み具本体２の接続口７を差込み、次に吸込み具本体２の略Ｔ字形の係止部２２を手元ハンドル１４に設けた略Ｔ字形の被係止部２１を乗り越えて係止し、吸込み具１を嵌着することができる。
【００４５】
以上のように本実施の形態によれば、吸込み具本体２の接続口７を手元ハンドル１４の引掛部２０へ嵌め、次に吸込み具本体２の係止部２２を手元ハンドル１４の被係止部２１に係止することで、ブラシ体５を回転した状態でも吸込み具１を手元ハンドル１４へ収納することができる電気掃除機を提供することができる。
【００４６】
（実施の形態４）
図１０は本発明の第４の実施の形態における吸込み具本体２の正面図、図１１は吸込み具１の正面図である。
【００４７】
図１０において吸込み具本体２の底面２３の一部に、ブラシ６の植毛角度とほぼ同角度で、吸引口３に向かって断面積を小さくするための傾斜部２４を設けている。
【００４８】
この吸込み具本体２の両側面には回動軸穴２５を設け、ここへブラシ６を斜めに植設した図４のブラシ体５の回動軸２６を嵌め込み、図１１のようにブラシ体５を回動自在に覆着している。
【００４９】
以上のように構成された電気掃除機用吸込み具１について、以下、その動作、作用を説明する。
【００５０】
底面２３には傾斜部２４を設けており、ブラシ６を斜めに植設したブラシ体５を覆着しても、この傾斜部２４によって斜め植毛によるブラシ枠４の内壁の傾斜を避けることができ、ブラシ体５は吸込み具本体２の外郭より植毛部分のみの突出となる。また、底面２３の傾斜によって吸引口３の吸気の風速が上がる。
【００５１】
以上のように本実施の形態によれば、底面２３に傾斜部２４が設けられていることによってブラシ体５が吸込み具本体の２の外郭より必要以上に突出せず、コンパクトな吸込み具１を提供することができ、さらに吸引口３の先端部の風速を上げ、ブラシ体５が回動した状態で吸引面積が大きくなった場合にも集塵力を確保することができる。また、製造面でも、ブラシ６を植設するための穴の角度も全て同じに設けられるため、この部分を形成する金型構造を簡単にすることができる。
【００５２】
（実施の形態５）
図１２は本発明の第５の実施の形態における吸込み具１の正面図である。
【００５３】
本実施の形態は、図１２に示すように、ブラシ６が有するそれぞれのブラシ毛をブラシ枠４のブラシ植設面に対してθ＞０となる同じ角度になるように植設するもので、ブラシ６の先端で細かい隙間などの塵埃を掻きだす際など、先端で掃除をしているブラシ６の部分がブラシ枠４より突出するため目視でき、確実に塵埃を掻きだすことができ、また、ブラシ６の植設方向が揃っているため、近接したブラシ６が有するブラシ毛間の密閉度を高くでき、高い集塵力を確保することができる。
【００５４】
（実施の形態６）
図１３は、本発明の第６の実施の形態における吸込み具１の正面図である。
【００５５】
図において、複数のブラシ６を、ブラシ植設面の鉛直方向に対して傾斜させてブラシ枠４に植設するとともに、その傾斜角を吸引口３の後方から前方に向かうにしたがって大きくなるようにしたものである。
【００５６】
以上のように本実施の形態においては、吸込み具本体２の両側面のブラシ枠４の端面に、角度を徐々に変えたブラシ６を複数植設することにより、その先端で細かい隙間などの塵埃を掻きだす際、先端で掃除をしている部分が目視できる上に、ブラシ６の植設角度を変えているのでブラシ６の接地面がより広範囲になり、効率よく集塵することができる。
【００５７】
（実施の形態７）
図１４は、本発明の第７の実施の形態における吸込み具１の正面図である。
【００５８】
図１４において、吸込み具本体２の両側面に回動軸穴２５の中心と同一中心とする円弧状のリブ２７を、ブラシ体５の内側面に接するように設けたものである。
【００５９】
以上のように構成された電気掃除機用吸込み具１について、以下、その動作、作用を説明する。
【００６０】
回動軸２６を有するブラシ体５の内壁は、回動軸２６を中心に回動する時、常に円弧状のリブ２７に接するので、ブラシ体５と吸込み具本体２との間の隙間を最小限に抑える事ができ、回動時に回動軸穴２５に砂をかみ込んで回動が阻害されるのを防止することができる。また、回動時のブラシ体５のガタツキも、リブ２７に接することで最低限に抑えることが出来る。
【００６１】
（実施の形態８）
図１５は、本発明の第８の実施の形態における吸込み具１の底面図である。
【００６２】
図１５に示すように、吸込み具本体２の吸引口３付近の底面２３の一部を残して切欠くことで突起部２８を設けるもので、ブラシ体５を回動せず吸込み具本体２に取り付けた状態で、吸込み具１でじゅうたんなどを掃除する際にこの突起部２８がじゅうたんの繊維の間や溝部に入りこみ、そこに絡まった塵埃を掻き出す事ができ、効率よく集塵することができる。
【００６３】
（実施の形態９）
図１６は本発明の第９の実施の形態における吸込み具１の下面図である。
【００６４】
図１６に示すように、吸込み具本体２の吸引口３の底面の両端部を残して中央部を切欠くことでリブ２９を形成したもので、両端部を残して切欠くことで開口面積が大きくなって、より効率的な集塵が出来るとともに、リブ２８によって開口面積が広くなった吸込み具本体２の先端の剛性を上げることができ、さらに吸引口３から吸込まれる気流を整えるので騒音を低減することができる。
【産業上の利用可能性】
【００６５】
以上のように、本発明にかかる電気掃除機用吸込み具及びそれを用いた電気掃除機は、吸込み具の吸引口がふさがれても補助吸引口から空気を取り入れ掃除機本体が密閉状態になるのを防止することができるので、塵埃を吸引する集塵機や、液体、ガス、粉体、粒状体を吸引するような機器にも広く適用する事が可能である。
【図面の簡単な説明】
【００６６】
【図１】（ａ）本発明の実施の形態１における電気掃除機用吸込み具の斜視図（ｂ）同電気掃除機用吸込み具のブラシ体を回動させた状態を示す斜視図
【図２】同電気掃除機用吸込み具が接続される電気掃除機の斜視図
【図３】本発明の実施の形態２における電気掃除機用吸込み具を収納した電気掃除機の斜視図
【図４】同吸込み具のブラシ体の斜視図
【図５】同吸込み具の他の収納例を示す手元ハンドルの側面図
【図６】（ａ）同吸込み具と手元ハンドルとの取り付け前の状態を示す断面図（ｂ）同吸込み具と手元ハンドルとの取り付け状態を示す断面図
【図７】本発明の実施の形態３における電気掃除機用吸込み具の吸込み具本体の斜視図
【図８】同電気掃除機用吸込み具を手元ハンドルに取り付けた状態を示す側面図
【図９】（ａ）同電気掃除機用吸込み具を手元ハンドルに取り付ける前の状態を示す断面図（ｂ）同電気掃除機用吸込み具を手元ハンドルに取り付けた状態を示す断面図
【図１０】本発明の実施の形態４における電気掃除機用吸込み具の吸込み具本体の正面図
【図１１】同電気掃除機用吸込み具の動作を示す正面図
【図１２】本発明の実施の形態５における電気掃除機用吸込み具の正面図
【図１３】本発明の実施の形態６における電気掃除機用吸込み具の正面図
【図１４】本発明の実施の形態７における電気掃除機用吸込み具の正面図
【図１５】本発明の実施の形態８における電気掃除機用吸込み具の下面図
【図１６】本発明の実施の形態９における電気掃除機用吸込み具の下面図
【図１７】従来の例を示す電気掃除機用吸込み具の断面図
【図１８】従来の他の例を示す電気掃除機用吸込み具の側面図
【符号の説明】
【００６７】
１    電気掃除機用吸込み具
２    吸込み具本体
３    吸引口
４    ブラシ枠
５    ブラシ体
５ａ  前方開口部
５ｂ  上方開口部
５ｃ  後方開口部
６    ブラシ
７    接続口
８    補助吸引口
９    掃除機本体
１０    集塵室
１１    電気送風機
１３    延長管
１４    手元ハンドル
１５    ホース
１６    主吸込み具
１８    凹部（収納部）
１９    係止部
２０    引掛部
２１    被係止部
２２    係止部
２３    底面
２５    回動軸穴
２６    回動軸
２７、２９  リブ
２８    突起部
３０    電気掃除機
【図１】
2005110908.tif 000003
【図２】
2005110908.tif 000004
【図３】
2005110908.tif 000005
【図４】
2005110908.tif 000006
【図５】
2005110908.tif 000007
【図６】
2005110908.tif 000008
【図７】
2005110908.tif 000009
【図８】
2005110908.tif 000010
【図９】
2005110908.tif 000011
【図１０】
2005110908.tif 000012
【図１１】
2005110908.tif 000013
【図１２】
2005110908.tif 000014
【図１３】
2005110908.tif 000015
【図１４】
2005110908.tif 000016
【図１５】
2005110908.tif 000017
【図１６】
2005110908.tif 000018
【図１７】
2005110908.tif 000019
【図１８】
2005110908.tif 000020